【事件の表示】
　特願２０１７−　１２４６１「携帯端末でクリップボード機能提供方法及び装置」拒絶査定不服審判事件〔平成２９年　６月１５日出願公開、特開２０１７−１０７５８５〕について、次のとおり審決する。
【結　論】
　本件審判の請求は、成り立たない。
【理　由】
１　手続の経緯
　本願は，２０１２年（平成２４年）３月２１日（パリ条約による優先権主張外国庁受理２０１１年３月２１日，韓国）を国際出願日とする出願である特願２０１４−５００９９８号の一部を平成２９年１月２６日に新たな特許出願としたものであって，平成３０年１月３０日付けで拒絶理由が通知され，平成３０年５月９日に手続補正がされるとともに意見書が提出されたが，平成３０年６月１４日付けで拒絶査定がなされ，これに対して平成３０年１０月１８日に審判の請求がなされ，同時に手続補正がなされたものである。
２　平成３０年１０月１８日にされた手続補正（本件補正）について
（１）　本件補正後の特許請求の範囲の記載
　本件補正により，特許請求の範囲の請求項１９の記載は，次のとおり補正された。（下線は補正箇所である。）
「【請求項１９】
　携帯端末のクリップデータを提供する方法において，
　表示部にデータを表示する動作と，
　前記表示されたデータのうち，一つを選択する第１入力を受信する動作と，
　前記選択されたデータをクリップデータとし
てコ
　前記第２入力
の受信に
として
　クリップデータ呼び出しイベントに応答し，複数のクリップデータをプレビューデータとして表示するクリップデータウィンドウを表示する動作と，
　前記クリップデータウィンドウから選択されたクリップデータをペーストする動作を含み，
　前記クリップデータ
として
スの
として
　前記リンクアドレスを前記クリップデータ
として
として
　前記クリップデータウィンドウを表示する動作は，前記リンクアドレスを前記クリップデータ
として
　前記
クリップデータウィンドウ
ディスプレイ
と
　ことを特徴とする携帯端末のクリップデータを提供する方法。」
（２）　本件補正前の特許請求の範囲
　本件補正前の，平成３０年５月９日にされた手続補正により補正された特許請求の範囲の請求項１９の記載は次のとおりである。
「【請求項１９】
　携帯端末のクリップデータを提供する方法において，
　表示部にデータを表示する動作と，
　前記表示されたデータのうち，一つを選択する第１入力を受信する動作と，
　前記選択されたデータをクリップデータとして，コピーするための第２入力を受信する動作と，
　前記第２入力を受信することで応答し，前記選択されたデータを前記クリップデータに保存する動作と，
　クリップデータ呼び出しイベントに応答し，複数のクリップデータをプレビューデータとして表示するクリップデータウィンドウを表示する動作と，
　前記クリップデータウィンドウから選択されたクリップデータをペーストする動作を含み，
　前記クリップデータに保存する動作は，前記選択されたデータがリンク情報（ｌｉｎｋ　ｉｎｆｏｒｍａｔｉｏｎ）を含む，ウェブ基盤データ（ｗｅｂ　ｂａｓｅｄ　ｄａｔａ）の場合，前記ウェブ基盤データのコンテンツ及び前記ウェブ基盤データに相応するリンクアドレス（ｌｉｎｋ　ａｄｄｒｅｓｓ）のうち，一つを前記クリップデータに保存するように選択する動作を含み，
　前記リンクアドレスを前記クリップデータに保存するように選択された場合，前記選択されたデータは，前記ウェブ基盤データの前記リンクアドレスを含む前記クリップデータに保存され，
　前記クリップデータウィンドウを表示する動作は，前記リンクアドレスを前記クリップデータに保存するように選択された場合，前記クリップデータ呼び出しイベントに応答し，前記ウェブ基盤データの前記リンクアドレスを前記複数のクリップデータのうち，一つに表示する動作を含み，
　前記表示部は，使用者の命令に対応する画面を表示するディスプレー領域と前記ディスプレー領域に少なくとも一部がオーバレイされたクリップボードウィンドウとを有する
　ことを特徴とする携帯端末のクリップデータを提供する方法。」
（３）　補正の適否
ア　本件補正前の「前記選択されたデータをクリップデータとして、コピーするための第２入力を受信する動作」は，本件補正により，「前記選択されたデータをクリップデータとし
てコ
　本件補正前の，「クリップデータとして」が「受信する動作」に係る旨解釈され得た本願明細書の記載と整合しない記述を，本願明細書の記載に整合するよう，「クリップデータとして」が「コピー」に係るように補正したものであり，上記補正箇所は，誤記の訂正と認められる。
イ　本件補正前の「前記第２入力を受信することで応答し、前記選択されたデータを前記クリップデータに保存する動作」は，本件補正により，「前記第２入力
の受信に
として
　本件補正前の，「第２入力を受信すること」が「応答」の内容である旨解釈され得た本願明細書の記載と整合しない記述を，「第２入力の受信に応答し」と補正し，また，本件補正前の，「選択されたデータ」が「クリップデータ」の一部として保存される旨解釈され得た本願明細書の記載と整合しない記述を，「選択されたデータ」が「クリップデータとして保存」される旨補正し，本願明細書の記載に整合する記述としたものであるから，上記補正箇所は，誤記の訂正と認められる。
ウ　本件補正前の「前記クリップデータに保存する動作は、前記選択されたデータがリンク情報（ｌｉｎｋ　ｉｎｆｏｒｍａｔｉｏｎ）を含む、ウェブ基盤データ（ｗｅｂ　ｂａｓｅｄ　ｄａｔａ）の場合、前記ウェブ基盤データのコンテンツ及び前記ウェブ基盤データに相応するリンクアドレス（ｌｉｎｋ　ａｄｄｒｅｓｓ）のうち、一つを前記クリップデータに保存するように選択する動作を含み」は，本件補正により，「前記クリップデータ
として
スの
として
　本件補正前の，「選択されたデータ」が「クリップデータ」の一部として保存される旨解釈され得た本願明細書の記載と整合しない記述を，（選択されたデータが）「クリップデータとして保存」される旨，本願明細書の記載に整合する記述に補正したものであるから，上記補正箇所は，誤記の訂正と認められる。
エ　本件補正前の「前記リンクアドレスを前記クリップデータに保存するように選択された場合、前記選択されたデータは、前記ウェブ基盤データの前記リンクアドレスを含む前記クリップデータに保存され」は，本件補正により，「前記リンクアドレスを前記クリップデータ
として
として
　上記補正箇所も，上記ウの補正箇所と同様に，誤記の訂正と認められる。
オ　本件補正前の「前記クリップデータウィンドウを表示する動作は、前記リンクアドレスを前記クリップデータに保存するように選択された場合、前記クリップデータ呼び出しイベントに応答し、前記ウェブ基盤データの前記リンクアドレスを前記複数のクリップデータのうち、一つに表示する動作を含み」は，本件補正により，「前記クリップデータウィンドウを表示する動作は、前記リンクアドレスを前記クリップデータ
として
　上記補正箇所も，上記ウおよびエの補正箇所と同様に，誤記の訂正と認められる。
カ　本件補正前の「前記表示部は、使用者の命令に対応する画面を表示するディスプレー領域と前記ディスプレー領域に少なくとも一部がオーバレイされたクリップボードウィンドウとを有する」は，本件補正により，「前記
クリップデータウィンドウ
ディスプレイ
と
　本件補正前の「クリップボードウィンドウ」は，「クリップデータウィンドウ」の誤記であるから，上記補正箇所も，誤記の訂正と認められる。
キ　本件補正は，上記ア〜カのとおり，いずれも，誤記を訂正しているものであるから，特許法第１７条の２第５項第３号の誤記の訂正を目的とするものに該当する。
ク　また，特許法第１７条の２第３項，第４項に違反するところはない。
ケ　小活
　したがって，少なくとも，請求項１９に係る本件補正は適法になされたものである。
３　本願発明
　平成３０年１０月１８日にされた手続補正のうち，請求項１９に係る本件補正は上記のとおり適法であるから，本願の請求項１９に係る発明（以下「本願発明」という。）は，平成３０年１０月１８日にされた手続補正により補正された特許請求の範囲の請求項１９に記載された事項により特定される，前記２（１）に記載のとおりのものである。
４　原査定の拒絶の理由
　原査定の拒絶の理由は，この出願の請求項１ないし２０に係る発明は，本願出願前に頒布された又は電気通信回線を通じて公衆に利用可能となった下記の引用文献１に記載された発明（以下，「引用発明」という）および引用文献２に例示された周知技術に基づいて，その優先日にその発明の属する技術分野における通常の知識を有する者が容易に発明をすることができたものであるから，特許法第２９条第２項の規定により特許を受けることができない，というものである。
　引用文献１：特開２００３−１３２０５５号公報
　引用文献２：知ってた？Firefoxのツールバーカスタマイズ機能：
　　　　　　　教えて君.net，[online]，２００９年４月２９日，
　　　　　　　［２０１８年１月３０日検索］，インターネット，
URL: https://web.archive.org/web/20090429152647/http://www.oshiete
-kun.net/archives/2009/03/_firefox_1.html （周知技術を示す文献）
５　引用発明
（１）　引用文献１の記載事項および引用発明
　原査定の拒絶の理由で引用された，上記引用文献１には，図面（特に，図１，３，４−７，９）と共に，次の事項が記載されている。（下線は当審で付した。以下同様。）
ア　「【０００１】
【発明の属する技術分野】本発明は，データ編集装置及び携帯電話機及び携帯通信機器に関する。詳しくは，
データのコピー
＆ペーストの操作を効率的に行うことができる
携帯電話機
イ　「【００１９】図１に示す電子機器は，本発明に係るデータ編集装置及び携帯電話機及び携帯通信機器の実施の形態の一例であり，
インターネットなどに接続してウェブサイトを閲覧する機能や電子メールなどを作成して送受信する機能等を備えた折り畳み型携帯電話機１００である
【００２０】図１（ａ）は
携帯電話機１００
メイン表示部１２２を有する表示部１２０と，サブ表示部１４２を設けたヒンジ部１４０と，データ入力などの操作を行う操作部１６０とから構成されている
ウ　「【００３７】
このような構成による携帯電話機１００において，所望のデータを
コピー＆ペーストする場合の動作
フロー
【００３８】図３（ａ）は，所望のデータを「コピー」又は「カット」する操作についてのフローであり，まず，
携帯電話機１００の操作部１６０の入力／通話キーや操作キー１６４を使ってウェブサイトに接続したり，電話帳データや既存の電子メールなどを呼び出してメイン表示部１２２に表示させ，閲覧（検索）する
閲覧しているデータの中に所望のデータがあった場合，コピー
するか否かを操作部１６０の操作キー１６４により選択する
【００３９】
コピー
する場合は，操作部１６０の操作キー１６４でコピー
する選択範囲を指定し，コピー
を実行する
コピー
が実行されると，指定された選択範囲のデータがＲＡＭ１１６のクリップボード（記憶領域）に保存（スタック）される
続いて，データのコピー
操作を継続するか否かを操作部１６０の操作キー１６４により選択する
継続する場合は，ウェブサイトや電話帳データや既存の電子メールなどをメイン表示部１２２に表示させて閲覧（検索）を続け，所望のデータのコピー
を繰り返す
所望のデータを順次クリップボードに保存（スタック）する
エ　「【００４１】続いて，
クリップボードに保存（スタック）されている所望のデータを「ペースト」操作する場合
【００４２】まず，データをペーストする電子メール作成画面などのデータ編集画面をメイン表示部１２２に表示する。次に，
ペーストデータの有無を確認し，データがある場合はペースト
データをサブ表示部１４２に表示する
【００４３】
ペースト操作を実行する場合は，サブ表示部１４２がアクティブとなり，続いて，現在サブ表示部１４２に表示されているデータをペーストするか否かを操作部１６０の操作キー１６４で選択する
【００４４】そして，
データのペーストを選択すると，メイン表示部１２２がアクティブとなり，サブ表示部１４２に表示されているデータがメイン表示部１２２にペーストされる
【００４５】
データのペーストをキャンセルすると，サブ表示部１４２の表示が切り換わってクリップボードに保存（スタック）されている次のデータが表示されるので，この表示されたデータを選択するか否かを判断
【００４６】
このデータを選択した場合，引き続いてデータのペーストする否かを選択する
データのペーストを選択すると，メイン表示部１２２がアクティブとなり，サブ表示部１４２に表示されているデータがメイン表示部１２２にペーストされる
【００４７】一方，ペースト操作の実行をしない場合，データ編集を継続するか否かを操作部１６０の操作キー１６４により選択する（ＳＴ２１３→ＳＴ２２０）。データ編集を継続する場合は，再度，ペーストデータの有無が確認され，データがある場合はサブ表示部１４２に表示され，データ編集が継続される（ＳＴ２２０→ＳＴ２１０〜・・・）。データ編集を継続しない場合は，操作部１６０の所定のキー操作により操作終了とする（ＳＴ２２０→ＳＴ２２１）。」
オ　「【００４８】上述のような場合の
具体的な例として，ウェブサイトのデータ
を利用して電子メールを作成する場合
【００４９】表示部１２０と操作部１６０とがヒンジ部１４０を介して折り畳まれて閉じた状態の携帯電話機１００を操作可能な状態に開くとメイン表示部１２２とサブ表示部１４２は同時に閲覧可能な状態（図１（ａ）参照）となる（開始待ち受け状態）。そして，操作部１６０の入力／通話キー１６２や操作キー１６４で所定の操作を行いインターネットなどにアクセスするとメイン表示部１２２に所望のウェブサイト画面が表示される（図５（ａ）参照）。この時，サブ表示部１４２は，クリップボード（記憶領域）に保存（スタック）されているデータがない場合は何も表示されず，データがある場合は一番古い又は最新のデータが表示される。また，複数のデータを表示するようにしても良い。
【００５０】また，保存（スタック）データが文字（テキスト）ではなく，画像や音声のようなデータである場合（特にサブ表示部１４２が小さい場合）には，所定のアイコンを用いて表示したり，保存した日付データを付加して表示するなど識別できような方法で表示する。
【００５１】まず，
メイン表示部１２２に表示されているウェブページのデータの中から電話番号データをコピーするため，操作部１６０の操作キー１６４でコピー
する選択範囲”０３−４４３２−ＸＸＸＸ”を指定し，コピー
を実行する。コピー
が実行されると，指定した選択範囲の電話番号データ１２３ａがＲＡＭ１１６のクリップボード（記憶領域）に保存（スタック）されると共に，”コピーデータ選択　Ｎｏ．０１”としてサブ表示部１４２に表示
される
【００５２】続いて，
メイン表示部１２２に表示されているウェブページのデータの中から地図画像が表示されるＵＲＬ（アドレス）データをコピーするため，操作部１６０の操作キー１６４等でＵＲＬ（アドレス）データをメイン表示部１２２に表示し，ＵＲＬ（アドレス）データである”ｈｔｔｐ：／／ｗｗｗ．ｃｏ．ｊｐ／ｍａｐ／ｍａｐ．ｇｉｆ”を選択範囲として指定し，コピー
を実行する。コピー
が実行されると，指定した選択範囲のＵＲＬ（アドレス）データ１２３ｂがＲＡＭ１１６のクリップボード（記憶領域）に保存（スタック）されると共に，”コピーデータ選択　Ｎｏ．０２”としてサブ表示部１４２に表示
される
【００５３】更に，電子アドレス帳の電話番号データをコピーする。まず，現在アクセスしている（メイン表示部１２２に表示されている）ウェブページを終了，若しくは操作キー１６４で選択子画面（図示せず）等を表示し，電子アドレス帳を呼び出してメイン表示部１２２に表示する（図５（ｃ）参照）。そして，所望の住所録データ検索し，住所録データの中の電話番号データ”０９０−ＸＸＸＸ−ＸＸＸＸ”を選択範囲として指定し，コピー（カット）を実行する。コピー（カット）が実行されると，指定した選択範囲の電話番号データ１２３ｃがＲＡＭ１１６のクリップボード（記憶領域）に保存（スタック）されると共に，”コピーデータ選択　Ｎｏ．０３”としてサブ表示部１４２に表示（図５（ｃ）参照）される（ＳＴ３１２）。
【００５４】このようにしてウェブサイト，電子アドレス帳，既存の電子メールなどから所望のデータ１２３ａ〜１２３ｃ・・・をコピー（カット）してクリップボード（記憶領域）に順次保存（スタック）していく。
【００５５】続いて，現在アクセスしている（メイン表示部１２２に表示されている）ウェブページを終了，若しくは操作キー１６４で選択子画面（図示せず）等を表示し，図６に示すような電子メールの作成画面を起動し，メイン表示部１２２にメール作成画面１２４を表示する（ＳＴ３２０）。
【００５６】まず，
メール作成画面１２４でメール本文の作成を行い，作成途中の文中の所定箇所の文字列”電話：”に続いてクリップボード（記憶領域）に保存（スタック）してある電話番号データ１２３ａをペーストする場合，操作部１６０の操作キー１６４でサブ表示部１４２をアクティブにする
【００５７】
サブ表示部１４２には，クリップボード（記憶領域）に保存（スタック）してあるデータが表示され，操作部１６０の操作キー１６４でスクロールするなどの操作によってペーストしたいデータを検索して所望のデータ”貼付データ選択Ｎｏ．１”の電話番号データ１２３ａ’”０３−４４３２−ＸＸＸＸ”を選択し，ペースト操作を実行する
と，メイン表示部１２２がアクティブとなり，”電話：”の文字列に続いて電話番号データ１２３ａ’”０３−４４３２−ＸＸＸＸ”がペースト
され
【００５８】
次に，”お店の地図：”の文字列に続いてクリップボード（記憶領域）に保存（スタック）してあるアドレス（ＵＲＬ）データ
をペーストする場合も
同様に，操作部１６０の操作キー１６４でサブ表示部１４２をアクティブにすると，サブ表示部１４２にはクリップボード（記憶領域）に保存（スタック）してあるデータが表示され，操作部１６０の操作キー１６４でスクロールするなどの操作によってペーストしたいデータを検索して所望のデータ”貼付データ選択　Ｎｏ．２”のＵＲＬ（アドレス）データ１２３ｂ’”ｈｔｔｐ：／／ｗｗｗ．ｃｏ．ｊｐ／ｍａｐ／ｍａｐ．ｇｉｆ”を選択してペースト操作を実行する
と，メイン表示部１２２がアクティブとなり，文字列”お店の地図：”に続いてＵＲＬ（アドレス）データ１２３ｂ’”ｈｔｔｐ：／／ｗｗｗ．ｃｏ．ｊｐ／ｍａｐ／ｍａｐ．ｇｉｆ”がペースト
される
【００５９】更に，文字列”幹事ＴＥＬ：”に続いてクリップボード（記憶領域）に保存（スタック）してある電話番号データ１２３ｃ（図５（ｃ）参照）をペーストするために，操作部１６０の操作キー１６４でサブ表示部１４２をアクティブにし，サブ表示部１４２にクリップボード（記憶領域）に保存（スタック）してあるデータが表示させて操作部１６０の操作キー１６４でスクロールするなどの操作によってペーストしたいデータを検索して所望のデータ”貼付データ選択　Ｎｏ．３”の電話番号データ１２３ｃ’”０９０−ＸＸＸＸ−ＸＸＸＸ”を選択し，ペースト操作を実行する（図８（ａ））。データのペースト操作を実行すると，メイン表示部１２２がアクティブとなり，文字列”幹事ＴＥＬ：”に続いて電話番号データ１２３ｃ’”０９０−ＸＸＸＸ−ＸＸＸＸ”データがペースト（図８（ｂ）参照）される（ＳＴ３２４→ＳＴ３２１〜３２３）。
【００６０】このようにしてメイン表示部１２２に表示されている電子メールの所望の位置に対してクリップボード（記憶領域）に保存（スタック）してある所望のデータ１２３ａ’〜１２３ｃ’・・・をペーストしてメール本文を作成する。」
カ　「【００６１】なお，
表示部１２０に表示される表示画面（領域）をメイン表示エリアとサブ表示エリアに分けて表示するようにしてもよい。例えば，図９（ａ）に示すように表示部１２０Ａにおいてメイン表示エリア１２２Ａを上，サブ表示エリア１４２Ａを下にするように表示してもよく，又は，図９（ｂ）に示すように表示部１２０Ｂにおいてサブ表示エリア１４２Ｂを上，メイン表示部１２２エリアを下に表示するようにしてもよい。尚，メイン表示エリアとサブ表示エリアを左右に配置したり適宜切り替えて表示したり，これ以外の方法でもよい
【００６２】更に，メイン表示エリアとサブ表示エリアの表示領域の広さ（大きさ）についても任意に設定することが可能であり，サブ表示エリアに表示するデータについても上述したようにように１つのデータを表示する表示方法だけでなく，複数個のデータを一度に表示し，選択できるようにすることが可能であるの勿論のことである。
【００６３】また，クリップボード（記憶領域）に保存（スタック）するデータは，テキストデータ，動画，静止画，音などのデータであり，機器によって保存できるデータの種類や容量を選択したり制限することが可能であり，すべての種類を保存できるようにすることも可能である。
【００６４】従って，上述したメイン表示部１２２とサブ表示部１４２とを別の表示画面として具備した折り畳み型携帯電話機１００以外の携帯電話機において，画面表示部が１つしかない場合には，図９の示すようにメイン表示エリアとサブ表示エリアを分割して表示し，同時に閲覧できるようにすることで上述してきたコピー（又はカット）＆ペースト操作と同等の機能を実現することが可能である。」
キ　上記アないしカから，引用文献１には，次のような引用発明が記載されていると認められる。
「データのコピー＆ペーストの操作を効率的に行うことができる携帯電話機であって，
　インターネットなどに接続してウェブサイトを閲覧する機能や電子メールなどを作成して送受信する機能等を備えた折り畳み型携帯電話機１００であり，
　携帯電話機１００は，メイン表示部１２２を有する表示部１２０と，サブ表示部１４２を設けたヒンジ部１４０と，データ入力などの操作を行う操作部１６０とから構成されており，
　このような構成による携帯電話機１００において，所望のデータをコピー＆ペーストする場合の動作フローであって，
　携帯電話機１００の操作部１６０の入力／通話キーや操作キー１６４を使ってウェブサイトに接続したり，電話帳データや既存の電子メールなどを呼び出してメイン表示部１２２に表示させ，閲覧（検索）し，
　閲覧しているデータの中に所望のデータがあった場合，コピーするか否かを操作部１６０の操作キー１６４により選択し，コピーする場合は，操作部１６０の操作キー１６４でコピーする選択範囲を指定してコピーを実行し，
　コピーが実行されると，指定された選択範囲のデータがＲＡＭ１１６のクリップボード（記憶領域）に保存（スタック）され，
　続いて，データのコピー操作を継続するか否かを操作部１６０の操作キー１６４により選択し，継続する場合は，ウェブサイトや電話帳データや既存の電子メールなどをメイン表示部１２２に表示させて閲覧（検索）を続け，所望のデータのコピーを繰り返し，所望のデータを順次クリップボードに保存（スタック）し，
　クリップボードに保存（スタック）されている所望のデータを「ペースト」操作する場合に，ペーストデータの有無を確認し，データがある場合はペーストデータをサブ表示部１４２に表示し，
　ペースト操作を実行する場合は，サブ表示部１４２がアクティブとなり，続いて，現在サブ表示部１４２に表示されているデータをペーストするか否かを操作部１６０の操作キー１６４で選択し，
　データのペーストを選択すると，メイン表示部１２２がアクティブとなり，サブ表示部１４２に表示されているデータがメイン表示部１２２にペーストされ，
　データのペーストをキャンセルすると，サブ表示部１４２の表示が切り換わってクリップボードに保存（スタック）されている次のデータが表示されるので，この表示されたデータを選択するか否かを判断し，このデータを選択した場合，引き続いてデータのペーストする否かを選択し，データのペーストを選択すると，メイン表示部１２２がアクティブとなり，サブ表示部１４２に表示されているデータがメイン表示部１２２にペーストされる動作フローであって，
　具体的な例として，ウェブサイトのデータを利用して電子メールを作成する場合，
　メイン表示部１２２に表示されているウェブページのデータの中から電話番号データをコピーするため，操作部１６０の操作キー１６４でコピー（カット）する選択範囲”０３−４４３２−ＸＸＸＸ”を指定し，コピー（カット）を実行し，コピー（カット）が実行されると，指定した選択範囲の電話番号データ１２３ａがＲＡＭ１１６のクリップボード（記憶領域）に保存（スタック）されると共に，”コピーデータ選択　Ｎｏ．０１”としてサブ表示部１４２に表示され，
　メイン表示部１２２に表示されているウェブページのデータの中から地図画像が表示されるＵＲＬ（アドレス）データをコピーするため，操作部１６０の操作キー１６４等でＵＲＬ（アドレス）データをメイン表示部１２２に表示し，ＵＲＬ（アドレス）データである”ｈｔｔｐ：／／ｗｗｗ．ｃｏ．ｊｐ／ｍａｐ／ｍａｐ．ｇｉｆ”を選択範囲として指定し，コピー（カット）を実行し，コピー（カット）が実行されると，指定した選択範囲のＵＲＬ（アドレス）データ１２３ｂがＲＡＭ１１６のクリップボード（記憶領域）に保存（スタック）されると共に，”コピーデータ選択　Ｎｏ．０２”としてサブ表示部１４２に表示され，
　メール作成画面１２４でメール本文の作成を行い，作成途中の文中の所定箇所の文字列”電話：”に続いてクリップボード（記憶領域）に保存（スタック）してある電話番号データ１２３ａをペーストする場合，操作部１６０の操作キー１６４でサブ表示部１４２をアクティブにすると，サブ表示部１４２には，クリップボード（記憶領域）に保存（スタック）してあるデータが表示され，操作部１６０の操作キー１６４でスクロールするなどの操作によってペーストしたいデータを検索して所望のデータ”貼付データ選択Ｎｏ．１”の電話番号データ１２３ａ’”０３−４４３２−ＸＸＸＸ”を選択し，ペースト操作を実行すると，メイン表示部１２２がアクティブとなり，”電話：”の文字列に続いて電話番号データ１２３ａ’”０３−４４３２−ＸＸＸＸ”がペーストされ，
　次に，”お店の地図：”の文字列に続いてクリップボード（記憶領域）に保存（スタック）してあるアドレス（ＵＲＬ）データをペーストする場合も同様に，操作部１６０の操作キー１６４でサブ表示部１４２をアクティブにすると，サブ表示部１４２にはクリップボード（記憶領域）に保存（スタック）してあるデータが表示され，操作部１６０の操作キー１６４でスクロールするなどの操作によってペーストしたいデータを検索して所望のデータ”貼付データ選択　Ｎｏ．２”のＵＲＬ（アドレス）データ１２３ｂ’”ｈｔｔｐ：／／ｗｗｗ．ｃｏ．ｊｐ／ｍａｐ／ｍａｐ．ｇｉｆ”を選択してペースト操作を実行すると，メイン表示部１２２がアクティブとなり，文字列”お店の地図：”に続いてＵＲＬ（アドレス）データ１２３ｂ’”ｈｔｔｐ：／／ｗｗｗ．ｃｏ．ｊｐ／ｍａｐ／ｍａｐ．ｇｉｆ”がペーストされる
　携帯電話機１００において，データをコピー＆ペーストする場合の動作フロー。」
６　対比
ア　本願発明と引用発明とを対比する。
　（ア）引用発明の携帯電話機１００は，インターネットなどに接続してウェブサイトを閲覧する機能や電子メールなどを作成して送受信する機能等を備えているため，携帯型のウェブ端末ないしメール端末であるといえるから，引用発明の携帯電話機１００は，本願発明の携帯端末に対応する。
　また，引用発明の携帯電話機１００のコピー＆ペーストする場合の動作フローは，クリップボードに保存されたデータを提供しているから，引用発明の携帯電話機１００のコピー＆ペーストする場合の動作フローは，本願発明の携帯端末のクリップデータを提供する方法に対応する。
　（イ）引用発明の動作フローは，ウェブサイトに接続したり，電話帳データや既存の電子メールなどを呼び出したりして表示部１２０にデータを表示させているから，本願発明と同様に，表示部にデータを表示する動作を備えているといえる。
　（ウ）引用発明の動作フローは，閲覧しているデータの中に所望のデータがあった場合，コピーするか否かを操作部１６０の操作キー１６４により選択し，コピーする場合は，操作部１６０の操作キー１６４でコピーする選択範囲を指定してコピーを実行しているから，引用発明と，本願発明とは，表示されたデータのうち，一つをクリップデータとしてコピーするため選択する入力を受信する動作を備えている点で共通しているといえる。
　（エ）引用発明の動作フローは，コピーが実行されると，指定された選択範囲のデータをＲＡＭ１１６のクリップボード（記憶領域）に保存（スタック）している。ここで，引用発明の「クリップボード（記憶領域）に保存（スタック）」されたデータは，本願発明の「クリップデータ」に相当する。　よって，引用発明と，本願発明とは，選択されたデータをクリップデータとして保存する動作を備えている点で共通しているといえる。
　（オ）引用発明の携帯電話機１００のコピー＆ペーストする場合の動作フローにおいて，ペーストする場合，操作部１６０の操作キー１６４でサブ表示部１４２をアクティブにし，サブ表示部１４２には，クリップボード（記憶領域）に保存（スタック）してあるデータが表示される。
　ここで，引用発明の動作フローにおいて，「ペーストする場合，操作部１６０の操作キー１６４でサブ表示部１４２をアクティブに」することが，本願発明の「クリップデータ呼び出しイベント」に対応する。
　また，引用発明の動作フローにおいて，クリップボード（記憶領域）に保存（スタック）してあるデータをサブ表示部１４２に表示させて，操作部１６０の操作キー１６４でスクロールするなどの操作によってペーストしたいデータを検索しているから，サブ表示部１４２におけるデータの表示は，ペーストするデータを選択するためのプレビュー表示であるといえるから，引用発明の動作フローは，複数のクリップデータをプレビューデータとして表示しているといえる。
　したがって，引用発明と，本願発明とは，クリップデータ呼び出しイベントに応答し，複数のクリップデータをプレビューデータとして表示する動作を備えている点で共通しているといえる。
　（カ）引用発明の動作フローは，クリップボード（記憶領域）に保存（スタック）してあるデータをサブ表示部１４２に表示させて，ペーストしたいデータを検索して，ペーストしているから，本願発明と同様に，プレビューデータ表示から選択されたクリップデータをペーストする動作を含んでいるといえる。
　（キ）引用発明の動作フローにおいては，メイン表示部１２２に表示されているウェブページのデータの中から電話番号データや，地図画像が表示されるＵＲＬ（アドレス）データをコピーしている。
　ここで，引用発明における「地図画像が表示されるＵＲＬ（アドレス）データ」は，本願発明の「リンク情報（ｌｉｎｋ　ｉｎｆｏｒｍａｔｉｏｎ）」に対応する。
　そして，引用発明の「ウェブページ」は，ウェブベース言語であるＨＴＭＬで記述されているから，本願発明の「リンク情報（ｌｉｎｋ　ｉｎｆｏｒｍａｔｉｏｎ）を含む，ウェブ基盤データ（ｗｅｂ　ｂａｓｅｄ　ｄａｔａ）」に相当する。
　また，引用発明における「電話番号データ」は，本願発明の「ウェブ基盤データのコンテンツ」に相当する。
　さらに，引用発明の動作フローは，メイン表示部１２２に表示されているウェブページのデータの中から地図画像が表示されるＵＲＬ（アドレス）データをコピーするため，操作部１６０の操作キー１６４等でＵＲＬ（アドレス）データをメイン表示部１２２に表示し，ＵＲＬ（アドレス）データである”ｈｔｔｐ：／／ｗｗｗ．ｃｏ．ｊｐ／ｍａｐ／ｍａｐ．ｇｉｆ”を選択範囲として指定し，コピー（カット）を実行し，コピー（カット）が実行されると，指定した選択範囲のＵＲＬ（アドレス）データ１２３ｂがＲＡＭ１１６のクリップボード（記憶領域）に保存（スタック）されている。
　ここで，引用発明における「地図画像が表示されるＵＲＬ（アドレス）データ」は，本願発明の「ウェブ基盤データに相応するリンクアドレス」に相当する。
　したがって，引用発明と，本願発明とは，クリップデータとして保存する動作は，選択されたデータがリンク情報（ｌｉｎｋ　ｉｎｆｏｒｍａｔｉｏｎ）を含む，ウェブ基盤データ（ｗｅｂ　ｂａｓｅｄ　ｄａｔａ）の場合，前記ウェブ基盤データのコンテンツ及び前記ウェブ基盤データに相応するリンクアドレスのうち，一つを前記クリップデータとして保存する動作を含む点で共通しているといえる。
　また，引用発明と，本願発明とは，リンクアドレスをクリップデータとして保存するように選択された場合，前記選択されたデータは，ウェブ基盤データの前記リンクアドレスを含む前記クリップデータとして保存される点でも共通しているといえる。
　（ク）引用発明の動作フローにおいては，操作部１６０の操作キー１６４でサブ表示部１４２をアクティブにすると，サブ表示部１４２にはクリップボード（記憶領域）に保存（スタック）してあるデータが表示され，操作部１６０の操作キー１６４でスクロールするなどの操作によってペーストしたいデータを検索して所望のデータ”貼付データ選択　Ｎｏ．２”のＵＲＬ（アドレス）データ１２３ｂ’”ｈｔｔｐ：／／ｗｗｗ．ｃｏ．ｊｐ／ｍａｐ／ｍａｐ．ｇｉｆ”を選択している。
　したがって，引用発明と，本願発明とは，クリップデータを表示する動作が，リンクアドレスを前記クリップデータとして保存するように選択された場合，前記クリップデータ呼び出しイベントに応答し，ウェブ基盤データの前記リンクアドレスを前記複数のクリップデータのうち，一つとして表示する動作を含む点で共通しているといえる。
イ　一致点・相違点
　上記アより，本願発明と引用発明との一致点及び相違点は，次のとおりである。
［一致点］
「携帯端末のクリップデータを提供する方法において，
　表示部にデータを表示する動作と，
　前記表示されたデータのうち，一つをクリップデータとしてコピーするため選択する入力を受信する動作と，
　前記選択されたデータを前記クリップデータとして保存する動作と，
　クリップデータ呼び出しイベントに応答し，複数のクリップデータをプレビューデータとして表示する動作と，
　プレビューデータ表示から選択されたクリップデータをペーストする動作を含み，
　前記クリップデータとして保存する動作は，前記選択されたデータがリンク情報（ｌｉｎｋ　ｉｎｆｏｒｍａｔｉｏｎ）を含む，ウェブ基盤データ（ｗｅｂ　ｂａｓｅｄ　ｄａｔａ）の場合，前記ウェブ基盤データのコンテンツ及び前記ウェブ基盤データに相応するリンクアドレスのうち，一つを前記クリップデータとして保存する動作を含み，
　前記リンクアドレスを前記クリップデータとして保存するように選択された場合，前記選択されたデータは，前記ウェブ基盤データの前記リンクアドレスを含む前記クリップデータとして保存され，
　前記クリップデータを表示する動作は，前記リンクアドレスを前記クリップデータとして保存するように選択された場合，前記クリップデータ呼び出しイベントに応答し，前記ウェブ基盤データの前記リンクアドレスを前記複数のクリップデータのうち，一つとして表示する動作を含み，
　携帯端末のクリップデータを提供する方法。」
［相違点１］
　本願発明では，クリップデータとしてコピーするために表示されたデータの一部を選択する際に，選択する入力を受信してからコピーする入力を受信しているのに対し，引用発明では，コピーする入力を受信してから選択する入力を受信している点。
［相違点２］
　本願発明では，クリップデータをプレビュー表示する際に，使用者の命令に対応する画面を表示するディスプレイ領域の少なくとも一部とオーバレイされたクリップデータウィンドウに表示しているのに対し，引用発明では，サブ表示部に表示している点。
［相違点３］
　本願発明では，リンク情報（ｌｉｎｋ　ｉｎｆｏｒｍａｔｉｏｎ）を含む，ウェブ基盤データ（ｗｅｂ　ｂａｓｅｄ　ｄａｔａ）をクリップデータとして保存する際に，前記ウェブ基盤データのコンテンツ及び前記ウェブ基盤データに相応するリンクアドレスのうち，一つを選択しているのに対し，引用発明では，ウェブ基盤データのコンテンツやウェブ基盤データに相応するリンクアドレスのいずれかを選択しているか否か特定されていない点。
７　判断
ア　［相違点１］について
　ウェブ基盤データ（ｗｅｂ　ｂａｓｅｄ　ｄａｔａ）であるウェブデータを表示する携帯端末のウェブブラウザの技術分野において，表示されたデータの一部を選択してクリップデータとして保存する際に，選択指示を入力してから，コピー／カット指示を入力する技術は，本願優先日前に周知の技術に過ぎない（例えば，特開２００５−２５０８９６号公報の段落００２９−００３２，図４のＤ２およびＤ３などを参照されたい。）。
　よって，引用発明において，表示されたデータの一部を選択してクリップデータとして保存する際に，コピーを指示してからデータ選択する構成に代えて，上記周知技術を採用することによって，データの一部を選択する入力を受信してからコピーする入力を受信する構成とすることは，当業者が容易になし得たものである。
イ　［相違点２］について
　引用文献１には，さらに，段落００６１−００６４において，サブ表示画面に，クリップボードデータを表示する構成に代えて，表示画面をメイン表示エリアとサブ表示エリアに分けて表示してもよい旨記載されている。これは，分割ウィンドウにクリップボードデータを表示することを示唆しているといえる。
　また，携帯端末の技術分野において，クリップボードデータをプレピュー表示する際に，データ表示画面の一部とオーバレイされたクリップボードウィンドウ（いわゆるオーバーラップウィンドウ）に表示することも，本願の優先日前に周知の技術に過ぎない（例えば，上記アで参照した特開２００５−２５０８９６号公報の図４のＤ４の４３などを参照されたい。なお，当該図では，複数のクリップボードデータをクリップボードウィンドウにおいてプレピュー表示する際に，５件超の表示しきれないデータをスクロール可能なようにウィンドウ右側にスクロールバーを備えていることが認められるから，本願の請求項２０に対応する構成も本願の優先日前に周知であったといえる。）。
　さらに，ペーストしたいデータをプレビュー表示する際に，分割ウィンドウに表示するか，オーバーラップウィンドウに表示するかは，当業者が適宜選択すべき設計的事項に過ぎない。
　よって，引用発明において，クリップボードデータをプレピュー表示する際に，サブ表示部に表示する構成に代えて，上記周知技術を採用することによって，データ表示画面の一部とオーバレイされたクリップボードウィンドウに表示する構成とすることは，当業者が容易になし得たものである。
ウ　［相違点３］について
　引用発明では，ウェブページの地図画像「ｍａｐ．ｇｉｆ」をクリップボードに保存する際に，当該地図画像のＵＲＬ（アドレス）データ「ｈｔｔｐ：／／ｗｗｗ．ｃｏ．ｊｐ／ｍａｐ／ｍａｐ．ｇｉｆ」を保存しているが，ファイルの名の拡張子から明らかなようにｇｉｆデータ形式の画像データである地図画像データ「ｍａｐ．ｇｉｆ」自体をクリップボードに保存することは特定されていない。
　しかし，引用文献１の段落００６３において，クリップボードに保存するデータは，テキストデータだけでなく，動画，静止画（ｇｉｆデータ形式の画像データも含まれる），音などのデータである旨記載されているから，引用発明においても，地図画像データ「ｍａｐ．ｇｉｆ」自体をクリップボードに保存可能であることが示唆されているといえる。
　また，ウェブ基盤データ（ｗｅｂ　ｂａｓｅｄ　ｄａｔａ）であるウェブページを表示するウェブブラウザの技術分野において，画面表示された画像データを選択してクリップデータとして保存する際に，画像データそのものをクリップボードにコピーするか，画像データが格納されているＵＲＬ（アドレス）データをコピーするかを選択可能な構成は，本願の優先日前に周知の技術に過ぎない（例えば，原査定で周知技術を示すものとして提示された引用文献２の２ページ下部にはブラウザのメニュー項目が一覧表示されており，「画像をコピー」，「画像のＵＲＬをコピー」とのメニュー項目が記載されている。ここで，「画像をコピー」が画像データそのものをクリップボードにコピーするためのメニュー項目であり，「画像のＵＲＬをコピー」とのメニュー項目が画像データが格納されているＵＲＬ（アドレス）データをコピーするためのメニュー項目であることは，当業者にとって明らかである。）
　よって，引用発明において，ウェブ基盤データ（ｗｅｂ　ｂａｓｅｄ　ｄａｔａ）であるウェブページを表示するブラウザ表示画面において，画面表示された画像データを選択してクリップデータとして保存する際に，上記周知技術を採用することによって，画像データそのものをクリップボードにコピーするか，画像データが格納されているＵＲＬ（アドレス）データをコピーするかを選択可能な構成とすることは，当業者が容易になし得たものである。
エ　本願発明の作用効果について
　そして，本願発明の奏する作用効果は，当業者であれば，引用発明及び周知技術から予測できる範囲内のものにすぎず，格別顕著なものということはできない。
オ　小活
　したがって，本願発明は，引用発明及び周知技術に基づいて，当業者が容易に発明をすることができたものであるから，特許法第２９条第２項の規定により，特許を受けることができないものである。
８　むすび
　以上のとおり，本願発明は，特許法第２９条第２項の規定により特許を受けることができないから，他の請求項に係る発明について論及するまでもなく，本願は拒絶されるべきものである。
　よって，結論のとおり審決する。